(57)【要約】【課題】クロージャ筐体内における光ファイバ心線の取り扱い作業の効率向上、及び、クロージャ筐体内へのスプリッタモジュール搭載数の増加によるスプリッタの高密度化を実現することができるスプリッタモジュール及びこれを備えた光ケーブル接続用クロージャを提供する。【解決手段】例えば、スプリッタ２３と、スプリッタ２３に一端が接続されたテープ光ファイバ２６（単心の光ファイバ２６ａ）と、スプリッタ２３に一端が接続された単心の光ファイバ２５と、テープ光ファイバ２６の単心の光ファイバ２６ａの他端に取り付けられた光コネクタ２２と、単心の光ファイバ２５の他端に取り付けられた光コネクタ２１とを備えることにより、両端に光コネクタ２１，２２を備えたコード状のスプリッタモジュール３を構成し、このスプリッタモジュール３を介して、クロージャ筐体内に導入した光信号入力側の光ファイバと、光信号出力側の光ファイバとを接続する。【選択図】図２
2010217275.tif 000002
【特許請求の範囲】
【請求項１】
光信号を分岐するスプリッタと、
前記スプリッタの光信号出力側に、一端が接続されている複数本の第１の単心の光ファイバと、
前記スプリッタの光信号入力側に、一端が接続されている１本の第２の単心の光ファイバと、
前記第１の単心の光ファイバの他端に取り付けられた光信号出力用の光コネクタと、
前記第２の単心の光ファイバの他端に取り付けられた光信号入力用の光コネクタと、
を備えることにより、
両端に前記光信号入力用の光コネクタと前記光信号出力用の光コネクタとを備えたコード状の構成となっていることを特徴とするスプリッタモジュール。
【請求項２】
請求項１に記載のスプリッタモジュールにおいて、
前記スプリッタ及び前記第２の単心の光ファイバを収納するスプリッタカバーを有し、
前記光信号入力用の光コネクタが、前記スプリッタカバーに回動可能又は着脱可能に結合されていることを特徴とするスプリッタモジュール。
【請求項３】
光信号を分岐する１体又は複数体のスプリッタと、
前記スプリッタの光信号出力側に、一端が接続されている、１体のスプリッタに対して複数本の第１の単心の光ファイバと、
前記スプリッタ及び前記第１の単心の光ファイバを収納しているモジュールケースと、
前記スプリッタの光信号入力側に一端が接続され、且つ、前記モジュールケース外へ引き出された、１体のスプリッタに対して１本の第２の単心の光ファイバと、
前記第２の単心の光ファイバの他端に取り付けられた光信号入力用の光コネクタと、
前記第１の単心の光ファイバの他端に取り付けられ、且つ、前記モジュールケースの側面に設けられた光信号出力用の光コネクタとを備えることにより、
前記スプリッタを収納した前記モジュールケースの側面に前記光信号出力用の光コネクタを備えたケース状の構成となっていることを特徴とするスプリッタモジュール。
【請求項４】
請求項３に記載のスプリッタモジュールにおいて、
前記モジュールケースは湾曲又は屈曲し、この湾曲方向又は屈曲方向の側面が、前記モジュールケースの正面側を向いており、
前記光信号出力用の光コネクタが、前記湾曲方向又は屈曲方向の側面に設けられていることを特徴とするスプリッタモジュール。
【請求項５】
請求項３又は４に記載のスプリッタモジュールにおいて、
前記光信号出力用の光コネクタは、前記モジュールケースに回動可能又は着脱可能に結合されていることを特徴とするスプリッタモジュール。
【請求項６】
請求項１〜５の何れか１項に記載のスプリッタモジュールにおいて、
前記第１の単心の光ファイバ及び前記第２の単心の光ファイバは、その断面において空孔を有する光ファイバであることを特徴とするスプリッタモジュール。
【請求項７】
請求項１〜６の何れか１項に記載のスプリッタモジュールと、
クロージャ筐体とを有し、
前記クロージャ筐体内において、
前記クロージャ筐体内に導入した光信号入力側の光ファイバの端部に取り付けた光コネクタと、前記スプリッタモジュールの前記光信号入力用の光コネクタとを接続し、
且つ、前記クロージャ筐体内に導入した光信号出力側の光ファイバの端部に取り付けた光コネクタと、前記スプリッタモジュールの前記光信号出力用の光コネクタとを接続することにより、
前記スプリッタモジュールを介して、前記光信号入力側の光ファイバと前記光信号出力側の光ファイバとを接続した構成であることを特徴とする光ケーブル接続用クロージャ。
【請求項８】
請求項７に記載の光ケーブル接続用クロージャにおいて、
前記クロージャ筐体内にスプリッタモジュール収納ケース又はスプリッタモジュール固定部品が設けられ、
前記スプリッタモジュールが、前記スプリッタモジュール収納ケースに収納固定又は前記スプリッタモジュール固定部品に固定されていることを特徴とする光ケーブル接続用クロージャ。
【発明の詳細な説明】
【技術分野】
【０００１】
本発明はスプリッタモジュール及びこれを備えた光ケーブル接続用クロージャに関する。
【背景技術】
【０００２】
光ケーブルの分岐、引落とし、接続などを行う場合、光ケーブル接続用クロージャを使用する。この光ケーブル接続用クロージャでは、クロージャ筐体内に設置されている光ファイバ接続部及び光ファイバ余長部の収納部品により、光ファイバ心線の接続部及び光ファイバ心線の余長部を収納して保護する。
【０００３】
図７には従来の光ケーブル接続用クロージャを示し、図８には前記光ケーブル接続用クロージャに装備されている光コネクタ成端ケースとスプリッタモジュールケースを示す。なお、説明の便宜上、クロージャ筐体などは透視図で表している。
【０００４】
図７に示すように、従来の光ケーブル接続用クロージャは、クロージャ筐体１００と、このクロージャ筐体１００内に設置されている成端盤１０１、スプリッタモジュールケース１０２、光コネクタ成端ケース１０３、接続トレイ１０４及びセンタートレイ１０５とを備えた構成となっている。
【０００５】
クロージャ筐体１００内での各光ファイバ心線の収納は、主光ケーブル１０６Ａの光ファイバ心線１０６ａ，１０６ｂ、分岐光ケーブル１０８により導出される分岐光ファイバ心線１０８ａ、ドロップ光ファイバ１１０によりクロージャ筐体１００内から導出される引き落とし光ファイバ心線１１０ａ、この引き落とし光ファイバ心線１１０ａとモジュール光コード１１２との接続部である光コネクタ１１３，１２０、及び、モジュール光コード１１２の余長部ごとに配置されたケース１０２，１０３やトレイ１０４，１０５により、行なわれている。
【０００６】
主光ケーブル１０６Ａと主光ケーブル１０６Ｂは、その外被がクロージャ筐体１００の導入部１００ａと導出部１００ｂとでそれぞれ把持されることにより、クロージャ筐体１００に固定されている。図示例の主光ケーブル１０６Ａは多心光ファイバケーブルであり、主にテープ心線の光ファイバ心線１０６ａ，１０６ｂで構成されている。これらの光ファイバ心線１０６ａ，１０６ｂは、光ファイバ心線１０６ａ，１０６ｂごとに分離してセンタートレイ１０５内に収納されている。
【０００７】
主光ケーブル１０６Ａの光ファイバ心線１０６ａは、テープ心線のコーティングが剥ぎ取られて単心の光ファイバ心線１０６ａ−１に分離されており、この単心の光ファイバ心線１０６ａ−１の状態でクロージャ筐体１００内の取り回しが行なわれている。主光ケーブル１０６Ａの光ファイバ心線１０６ｂは、分岐光ケーブル１０８とドロップ光ファイバ１１０の何れにも接続されておらず、テープ心線のままの状態で主光ケーブル１０６Ｂにより、クロージャ筐体１００外へ導出されている。
【０００８】
一部の光ファイバ心線１０６ａ−１は、分岐光ケーブル１０８の分岐光ファイバ心線１０８ａと接続部１１５で接続されている。そして、この接続された光ファイバ心線１０６ａ−１と分岐光ファイバ心線１０８ａの余長部は、曲げ半径が３０ｍｍ以上となる輪にして束ねた状態とし、且つ、接続トレイ１０４内の心線押さえ片（図示省略）で飛び出しを防止した状態として、接続トレイ１０４内に収納されている。
【０００９】
他の一部の光ファイバ心線１０６ａ−１は、スプリッタモジュールケース１０２などを介してドロップ光ファイバ１１０の引き落とし光ファイバ心線１１０ａに接続されることにより、引き落とされている。
【００１０】
図８に示すように、スプリッタモジュールケース１０２内にはスプリッタモジュール１１６が収納されている。スプリッタモジュール１１６は、光信号の入力側にスプリッタモジュール入力部光コード１１７が接続され、光信号の出力側にモジュール光コード１１２が接続されている。  スプリッタモジュール１１６は、光信号を分岐するための石英系平面導波回路（ＰＬＣ）を有するスプリッタを、箱に収容した構成のものである。スプリッタモジュール入力部光コード１１７は単心のピグテイルファイバであり、前記スプリッタの入力側に接着剤によって固定されている。モジュール光コード１１２は８心又は４心のテープ心線のピグテイルファイバであり、前記スプリッタの出力側に接着剤によって固定されている。
【００１１】
従って、スプリッタモジュール１１６では、スプリッタモジュール入力部光コード１１７を介して入力した光信号を、前記スプリッタによって８分岐又は４分岐し、この分岐した光信号を、モジュール光コード１１２を介して出力する。モジュール光コード１１２は、長さが７００ｍｍ以上のものであり、端部に光コネクタ１１３が取り付けられている。
【００１２】
図７に示すように、主光ケーブル１０６Ａの光ファイバ心線１０６ａ−１の端部には光コネクタ１１８が取り付けられており、この光コネクタ１１８は成端盤１０１に接続されている。スプリッタモジュール入力部光コード１１７の端部には光コネクタ１１９が取り付けられており、この光コネクタ１１９も成端盤１０１に接続されている。即ち、成端盤１０１において、光ファイバ心線１０６ａ−１の光コネクタ１１８と、スプリッタモジュール入力部光コード１１７の光コネクタ１１９とが接続されている。
【００１３】
図７及び図８に示すように、スプリッタモジュール１１６は、スプリッタモジュールケース１０２の下層のトレイ１０２ａに設置されている。モジュール光コード１１２は、余長部が、スプリッタモジュールケース１０２の上層のトレイ１０２ｂ内に収納され、端部の光コネクタ１１３が、光コネクタ成端ケース１０３において、ドロップ光ファイバ１１０の引き落とし光ファイバ心線１１０ａの端部の光コネクタ１２０に接続されている。
【００１４】
従来の光ファイバは、コアとクラッドの材料による屈折率差のみで光を閉じ込める構造であり、光ファイバの曲げ半径を小さくすると曲げによる放射損失が増大するため、クロージャ筐体１００内では曲げ半径の限界値を３０ｍｍ程度として、光ファイバの曲げ半径が３０ｍｍ以上となるように取り回す必要があった。
【００１５】
このため、例えば、クロージャ筐体１００内のスプリッタモジュールケース１０２、光コネクタ成端ケース１０３、接続トレイ１０４及びセンタートレイ１０５等では曲げ半径３０ｍｍ以上を確保するためのスペースを設ける必要があった。また、クロージャ筐体１００内のスプリッタモジュールケース１０２、光コネクタ成端ケース１０３、接続トレイ１０４及びセンタートレイ１０５等を経由する光ファイバが、これらのスプリッタモジュールケース１０２、光コネクタ成端ケース１０３、接続トレイ１０４及びセンタートレイ１０５の間で縦方向の曲げ半径３０ｍｍ以上を確保することができるレイアウトとする必要もあった。
【００１６】
なお、従来の光ファイバの曲げ半径の限界値に比べて、曲げ半径を小さくできる光ファイバとして空孔アシスト光ファイバがある（例えば下記の特許文献１を参照）。この空孔アシスト光ファイバは、コア周囲のクラッド部に空孔を存在させることでクラッドの実効的な屈折率を下げて、コアとクラッドとの間の屈折率差を大きくして、曲げによる放射損失の増加を抑えた光ファイバである。このように空孔アシスト光ファイバは、曲げや捻りへの耐性が大きいため、従来の光ファイバでは成し得ない曲げ半径で光ファイバを曲げることができる。
【先行技術文献】
【特許文献】
【００１７】
【特許文献１】特開２００５−１７６５０号公報
【発明の概要】
【発明が解決しようとする課題】
【００１８】
上記のように従来の光ケーブル接続用クロージャでは、光ファイバ心線の曲げ半径を３０ｍｍ以上確保する設計としていた。従って、図７及び図８に示すように、従来の光ケーブル接続用クロージャでは、クロージャ筺体１００のサイズをできる限り大きくせずに光ファイバの曲げ半径３０ｍｍ以上を確保するため、スプリッタモジュールケース１０２、光コネクタ成端ケース１０３、接続トレイ１０４及びセンタートレイ１０５等を多段設置し、光ファイバが、これらのスプリッタモジュールケース１０２、光コネクタ成端ケース１０３、接続トレイ１０４及びセンタートレイ１０５等を経由しながら取り回される構成となっていた。
例えば、図７及び図８で示したような従来のスプリッタモジュール１１６は７００ｍｍ以上の光コネクタ１１３付きのモジュール光コード１１２を有しており、このモジュール光コード１１２の余長部を、クロージャ筐体１００内に縦方向に配線する作業が必要であった。このように、クロージャ筐体１００内で多段設置した各ケースを経由しながら光ファイバを収納することは、作業効率を向上させる上で課題となる。
【００１９】
また、多段設置した各ケースを経由しながら光ファイバを収納するとともに、従来のケースサイズ及びコード長のスプリッタモジュールを使用する場合、クロージャ筐体へのスプリッタ搭載数に制限があるという課題もある。
【００２０】
従って、本発明は上記の事情に鑑み、光ケーブル接続用クロージャのクロージャ筐体内における光ファイバ心線の取り扱い作業の効率向上、及び、クロージャ筐体内へのスプリッタモジュール搭載数の増加によるスプリッタの高密度化を実現することができるスプリッタモジュール及びこれを備えた光ケーブル接続用クロージャを提供することを課題とする。
【課題を解決するための手段】
【００２１】
上記課題を解決する第１発明のスプリッタモジュールは、光信号を分岐するスプリッタと、
前記スプリッタの光信号出力側に、一端が接続されている複数本の第１の単心の光ファイバと、
前記スプリッタの光信号入力側に、一端が接続されている１本の第２の単心の光ファイバと、
前記第１の単心の光ファイバの他端に取り付けられた光信号出力用の光コネクタと、
前記第２の単心の光ファイバの他端に取り付けられた光信号入力用の光コネクタと、
を備えることにより、
両端に前記光信号入力用の光コネクタと前記光信号出力用の光コネクタとを備えたコード状の構成となっていることを特徴とする。
【００２２】
また、第２発明のスプリッタモジュールは、第１発明のスプリッタモジュールにおいて、前記スプリッタ及び前記第２の単心の光ファイバを収納するスプリッタカバーを有し、
前記光信号入力用の光コネクタは、前記スプリッタカバーに回動可能又は着脱可能に結合されていることを特徴とする。
【００２３】
また、第３発明のスプリッタモジュールは、光信号を分岐する１体又は複数体のスプリッタと、
前記スプリッタの光信号出力側に、一端が接続されている、１体のスプリッタに対して複数本の第１の単心の光ファイバと、
前記スプリッタ及び前記第１の単心の光ファイバを収納しているモジュールケースと、
前記スプリッタの光信号入力側に一端が接続され、且つ、前記モジュールケース外へ引き出された、１体のスプリッタに対して１本の第２の単心の光ファイバと、
前記第２の単心の光ファイバの他端に取り付けられた光信号入力用の光コネクタと、
前記第１の単心の光ファイバの他端に取り付けられ、且つ、前記モジュールケースの側面に設けられた光信号出力用の光コネクタとを備えることにより、
前記スプリッタを収納した前記モジュールケースの側面に前記光信号出力用の光コネクタを備えたケース状の構成となっていることを特徴とする。
【００２４】
また、第４発明のスプリッタモジュールは、第３発明のスプリッタモジュールにおいて、前記モジュールケースは湾曲又は屈曲し、この湾曲方向又は屈曲方向の側面が、前記モジュールケースの正面側を向いており、
前記光信号出力用の光コネクタは、前記湾曲方向又は屈曲方向の側面に設けられていることを特徴とする。
【００２５】
また、第５発明のスプリッタモジュールは、第３又は第４発明のスプリッタモジュールにおいて、
前記光信号出力用の光コネクタは、前記モジュールケースに回動可能又は着脱可能に結合されていることを特徴とする。
【００２６】
また、第６発明のスプリッタモジュールは、第１〜第５発明の何れかのスプリッタモジュールにおいて、
前記第１の単心の光ファイバ及び前記第２の単心の光ファイバは、その断面において空孔を有する光ファイバであることを特徴とする。
【００２７】
また、第７発明の光ケーブル接続用クロージャは、第１〜第６発明の何れかのスプリッタモジュールと、
クロージャ筐体とを有し、
前記クロージャ筐体内において、
前記クロージャ筐体内に導入した光信号入力側の光ファイバの端部に取り付けた光コネクタと、前記スプリッタモジュールの前記光信号入力用の光コネクタとを接続し、
且つ、前記クロージャ筐体内に導入した光信号出力側の光ファイバの端部に取り付けた光コネクタと、前記スプリッタモジュールの前記光信号出力用の光コネクタとを接続することにより、
前記スプリッタモジュールを介して、前記光信号入力側の光ファイバと前記光信号出力側の光ファイバとを接続した構成であることを特徴とする。
【００２８】
また、第８発明の光ケーブル接続用クロージャは、第７発明の光ケーブル接続用クロージャにおいて、
前記クロージャ筐体内にスプリッタモジュール収納ケース又はスプリッタモジュール固定部品が設けられ、
前記スプリッタモジュールは、前記スプリッタモジュール収納ケースに収納固定又は前記スプリッタモジュール固定部品に固定されていることを特徴とする。
【発明の効果】
【００２９】
第１発明のスプリッタモジュールによれば、両端に光信号入力用の光コネクタと光信号出力用の光コネクタとを備えたコード状の構成となっていることを特徴としているため、このコード状のスプリッタモジュールを、光ケーブル接続用クロージャにおいてクロージャ筐体内に導入した光信号入力側の光ファイバと光信号出力側の光ファイバとの接続に用いる場合、このコード状のスプリッタモジュールを用いるだけで容易に光信号入力側の光ファイバと光信号出力側の光ファイバとを接続することができる。
このため、従来、接続のために要していた光ファイバ心線の余長の確保及びその収納スペースなどが不要となり、クロージャ筐体内の物品数の削減や、クロージャ筐体の小型化などを図ることができ、更には、クロージャ筐体内での物品配置のレイアウトの自由度が広がることから、作業性の向上などを図ることもできる。また、クロージャ筐体を従来と同様のサイズとした場合には、クロージャ筐体内に多数のスプリッタモジュールを収納することができるため、スプリッタの高密度化を実現することができる。
【００３０】
第２発明のスプリッタモジュールによれば、光信号入力用の光コネクタが、スプリッタカバーに回動可能又は着脱可能に結合されていることを特徴としているため、このコード状のスプリッタモジュールを、光ケーブル接続用クロージャにおいてクロージャ筐体内に導入した光信号入力側の光ファイバと光信号出力側の光ファイバとの接続に用いる場合、光信号入力用の光コネクタをスプリッタカバーに対して回動させること又はスプリッタカバーから取り外すことにより、光信号入力用の光コネクタの向き又は位置を任意に調整することができるため、クロージャ筐体内での物品配置のレイアウトの自由度が更に広がって、更なる作業性の向上などを図ることができる。
【００３１】
第３発明のスプリッタモジュールによれば、スプリッタを収納した前記モジュールケースの側面に光信号出力用の光コネクタを備えたケース状の構成となっていることを特徴としているため、このケース状のスプリッタモジュールを、光ケーブル接続用クロージャにおいてクロージャ筐体内に導入した光信号入力側の光ファイバと光信号出力側の光ファイバとの接続に用いる場合、このケース状のスプリッタモジュールを用いるだけで容易に光信号入力側の光ファイバと光信号出力側の光ファイバとを接続することができる。
このため、従来、接続のために要していた光ファイバ心線の余長の確保及びその収納スペースなどが不要となり、クロージャ筐体内の物品数の削減や、クロージャ筐体の小型化などを図ることができ、更には、クロージャ筐体内での物品配置のレイアウトの自由度が広がることから、作業性の向上などを図ることもできる。また、クロージャ筐体を従来と同様のサイズとした場合には、クロージャ筐体内に多数のスプリッタモジュールを収納することができるため、スプリッタの高密度化を実現することができる。
【００３２】
第４発明のスプリッタモジュールによれば、モジュールケースは湾曲又は屈曲し、この湾曲方向又は屈曲方向の側面が、モジュールケースの正面側を向いており、光信号出力用の光コネクタは、湾曲方向又は屈曲方向の側面に設けられていることを特徴としているため、光信号出力用の光コネクタの着脱方向も全てモジュールケースの正面側を向いている。従って、このコード状のスプリッタモジュールを、光ケーブル接続用クロージャにおいてクロージャ筐体内に導入した光信号入力側の光ファイバと光信号出力側の光ファイバとの接続に用いる場合、作業者にとって視認性がよくなるため、光コネクタの接続作業や光ファイバの取り回し作業が非常に容易になり、作業効率が向上する。
【００３３】
第５発明のスプリッタモジュールによれば、光信号出力用の光コネクタが、モジュールケースに回動可能又は着脱可能に結合されていることを特徴としているため、このコード状のスプリッタモジュールを、光ケーブル接続用クロージャにおいてクロージャ筐体内に導入した光信号入力側の光ファイバと光信号出力側の光ファイバとの接続に用いる場合、光信号入力用の光コネクタをモジュールケースに対して回動させること又はモジュールケースから取り外すことにより、光信号入力用の光コネクタの向き又は位置を任意に調整することができるため、クロージャ筐体内での物品配置のレイアウトの自由度が更に広がって、更なる作業性の向上などを図ることができる。
【００３４】
第６発明のスプリッタモジュールによれば、第１の単心の光ファイバ及び第２の単心の光ファイバは、その断面において空孔を有する光ファイバであることを特徴としており、光ファイバの曲げ半径を５ｍｍ程度まで小さくできるため、コード状又はケース状のスプリッタモジュールを更に小型化することができる。従って、このコード状又はケース状のスプリッタモジュールを、光ケーブル接続用クロージャにおいてクロージャ筐体内に導入した光信号入力側の光ファイバと光信号出力側の光ファイバとの接続に用いる場合、クロージャ筐体を更に小型化することなども可能となる。
【００３５】
第７発明の光ケーブル接続用クロージャによれば、第１〜第６発明の何れかのスプリッタモジュールを介して、前記光信号入力側の光ファイバと前記光信号出力側の光ファイバとを接続した構成とすることにより、第１〜第６発明のスプリッタモジュールの効果を有する優れた光ケーブル接続用クロージャを実現することができる。
【００３６】
第８発明の光ケーブル接続用クロージャによれば、スプリッタモジュールが、スプリッタモジュール収納ケースに収納固定又はスプリッタモジュール固定部品に固定されていることを特徴としているため、クロージャ筐体内で分岐や引き落としをする光ファイバが絡むことがなくなり、視認性良くスプリッタモジュール及び光ファイバを取り回すことができる。また、クロージャ筐体内の空間を有効に使用することもできる。例えば、クロージャ筐体内でスプリッタモジュール収納ケース又はスプリッタモジュール固定部品を多段に積むことによって、クロージャ筐体内に収納可能なスプリッタモジュールの数を増やすことができる。
【図面の簡単な説明】
【００３７】
【図１】本発明の実施の形態例１に係る光ケーブル接続用クロージャの模式図である。
【図２】前記光ケーブル接続用クロージャに装備されているコード状のスプリッタモジュールの模式図である。
【図３】本発明の実施の形態例２に係るコード状のスプリッタモジュールの模式図である。
【図４】本発明の実施の形態例３に係るコード状のスプリッタモジュールの模式図である。
【図５】本発明の実施の形態例４に係る光ケーブル接続用クロージャの模式図である。
【図６】（ａ）は前記光ケーブル接続用クロージャに装備されているケース状のスプリッタモジュールを正面側からみた模式図、（ｂ）は前記スプリッタモジュールを裏面側からみた模式図である。
【図７】従来の光ケーブル接続用クロージャの模式図である。
【図８】前記光ケーブル接続用クロージャに装備されている光コネクタ成端ケースとスプリッタモジュールケースの模式図である。
【発明を実施するための形態】
【００３８】
以下、本発明の実施の形態例を図面に基づいて詳細に説明する。
【００３９】
＜実施の形態例１＞
図１には本発明の実施の形態例１の光ケーブル接続用クロージャを示し、図２には前記光ケーブル接続用クロージャに装備されているコード状のスプリッタモジュールを示す。なお、説明の便宜上、図１のクロージャ筐体や図２のスプリッタカバーなどは透視図で表している。
【００４０】
図１に示すように、本実施の形態例２の光ケーブル接続用クロージャは、クロージャ筐体１と、このクロージャ筐体１内に設置されているセンタートレイ２、コード状のスプリッタモジュール３（以下、これをスプリッタモジュールコードとも称する）、スプリッタモジュール収納ケース５及び接続トレイ４とを備えた構成となっている。
【００４１】
センタートレイ２はクロージャ筐体１内の上部に配置されてクロージャ筐体１に固定されており、接続トレイ４はクロージャ筐体１内の下部に配置されてクロージャ筐体１に固定されている。そして、スプリッタモジュールコード３及びスプリッタモジュール収納ケース５は、クロージャ筐体１内において上部のセンタートレイ２と下部の接続トレイ４の間の空間部に配置されている。
【００４２】
主光ケーブル６Ａと主光ケーブル６Ｂは、その外被がクロージャ筐体１の導入部１ａと導出部１ｂでそれぞれ把持されることにより、クロージャ筐体１に固定されている。同様に、分岐光ケーブル１０及びドロップ光ファイバ８Ａ，８Ｂは、その外被がクロージャ筐体１の導出部１ｃ，１ｄ，１ｅにそれぞれ把持されることにより、クロージャ筐体１に固定されている。また、図示例の主光ケーブル６Ａは多心光ファイバケーブルであり、主にテープ心線の光ファイバ心線６ａ，６ｂで構成されている。これらの多心テープ光ファイバ心線６ａ，６ｂは、各光ファイバ心線６ａ，６ｂごとに分離してセンタートレイ２内に収納されている。
【００４３】
主光ケーブル６Ａの多心テープ光ファイバ心線６ａは、テープ心線のコーティングが剥ぎ取られて単心の光ファイバ心線６ａ−１に分離されており、この単心の光ファイバ心線６ａ−１の状態でクロージャ筐体１内の取り回しが行なわれている。主光ケーブル６Ａの多心テープ光ファイバ心線６ｂは、分岐光ケーブル１０とドロップ光ファイバ８Ａ，８Ｂの何れにも接続されておらず、テープ心線のままの状態で主光ケーブル６Ｂにより、クロージャ筐体１外へ導出されている。
【００４４】
一部の単心の光ファイバ心線６ａ−１は、分岐光ケーブル１０の分岐光ファイバ心線１０ａと、光コネクタなどの接続部１１で接続されている。この接続された光ファイバ心線６ａ−１と分岐光ファイバ心線１０ａの余長部は、輪にして束ねた状態とし、且つ、接続トレイ４内の心線押さえ片（図示省略）で飛び出しを防止した状態として、接続トレイ４内に収納されている。
【００４５】
そして、詳細は後述するが、他の一部の光ファイバ心線６ａ−１は、スプリッタモジュールコード３を介して、ドロップ光ファイバ８Ａ，８Ｂの引き落とし光ファイバ心線８Ａ−１，８Ｂ−１に接続されることにより、引き落とされている。
【００４６】
図１及び図２に基づいて詳述すると、本実施の形態例１のスプリッタモジュールコード３は、単心用の光コネクタ２１，２２と、スプリッタ２３と、スプリッタカバー２４と、単心の光ファイバ２５（第２の単心の光ファイバ）と、８心のテープ光ファイバ２６（多心の光ファイバ）とを備えた構成となっている。
【００４７】
光ファイバ２５，２６は何れも、その断面において空孔を有する光ファイバであり、例えばコア周囲のクラッド部に空孔を存在させることでクラッドの実効的な屈折率を下げて、コアとクラッド間の屈折率差を大きくすることにより、曲げによる放射損失の増加を抑えた空孔アシスト光ファイバである。従って、光ファイバ２５，２６は、その曲げ半径を５ｍｍ程度まで小さくすることができる。
【００４８】
スプリッタ２３は光信号を分岐するための石英系平面導波回路（ＰＬＣ）を有するものであり、スプリッタカバー２４内に収納されて保護されている。図示例ではスプリッタ２３が、光信号を８分岐するものである場合について例示している。
【００４９】
スプリッタ２３の一方の端面（光信号入力側）には、単心の光ファイバ２５の一端（光信号出力端）が、接着剤による接着固定などの接続手段により接続されていている。単心の光ファイバ２５の他端（光信号入力端）には、光信号入力用で単心用の光コネクタ２１が取り付けられている。単心の光ファイバ２５もスプリッタ２３とともにスプリッタカバー２４内に収納されており、光コネクタ２１はスプリッタカバー２４に接着剤などの結合手段によって結合されている。光コネクタ２１とスプリッタカバー２４を直列接続して、モジュールケースの代わりに簡易なスプリッタカバー２４を用いた構造としたことにより、スプリッタモジュール３全体の体積を大幅に縮小した構造とすることができる。なお、スプリッタカバー２４は必ずしも設ける必要がなく、スプリッタ２３及び単心の光ファイバ２５は露出していてもよい。
【００５０】
図示例のスプリッタ２３は光信号を８分岐のものであるため、このスプリッタ２３の他方の端面（光信号出力側）には、８心のテープ光ファイバ２６の一端（光信号入力端）が、接着剤による接着固定などの接続手段により接続されている。なお、図示は省略するが、８心のテープ光ファイバ２６の一端側（光信号入力側）は、コーティングが剥ぎ取られて８本の単心の光ファイバ２６ａに分離され（単心コード化され）、この単心の光ファイバ２６ａの一端がスプリッタ２３のＰＬＣに接続されている。そして、８心のテープ光ファイバ２６の他端側（光信号出力側）も、コーティングが剥ぎ取られて８本の単心の光ファイバ２６ａ（第１の単心の光ファイバ）に分離され（単心コード化され）、この８本の単心の光ファイバ２６ａの他端（光信号出力端）のそれぞれに対して、光信号出力用の単心用の光コネクタ２２が取り付けられている。
なお、必ずしも、このように多心の光ファイバ（テープ光ファイバ２６）を単心コード化してスプリッタ２３との接続に利用する場合に限定するものではなく、はじめから分離されている複数本（８分岐のスプリッタ２３に対しては８本）の単心の光ファイバをスプリッタ２３との接続に利用してもよい。
【００５１】
かくして、本実施の形態例１のスプリッタモジュール３は、両端に光信号入力用の光コネクタ２１と光信号出力用の光コネクタ２２とを備えたコード状の構成のものとなっている。
【００５２】
このスプリッタモジュールコード３は、光コネクタ２１，２２とスプリッタ２３とスプリッタカバー２４と光ファイバ２５，２６とを一体的に備えた接続用部品として、予め工場で製作される。光ケーブル接続用クロージャを設置する作業現場では、スプリッタ２３などを特に意識することなく、スプリッタモジュールコード３を１体の接続用部品として扱うことができる。
【００５３】
次に、図１に基づき、図２のスプリッタモジュールコード３を用いて主光ケーブル６Ａの単心の光ファイバ心線６ａ−１と、単心のドロップ光ファイバ８Ａ，８Ｂの引き落とし光ファイバ心線８Ａ−１，８Ｂ−２とを接続する例を、その接続作業の手順に沿って説明する。
【００５４】
図１に示すように、外被を剥がしてクロージャ筐体１内へ導入した主光ケーブル６Ａの多心テープ光ファイバ心線６ａを一定の長さで切断し、この切断した多心テープ光ファイバ心線６ａを、単心の光ファイバ心線６ａ−１に分離する。
続いて、この多心テープ光ファイバ心線６ａから分離した単心の光ファイバ心線６ａ−１の端部に、単心用の光コネクタ１２を取り付ける。
そして、この単心の光ファイバ心線６ａ−１に取り付けた光コネクタ１２と、スプリッタモジュールコード３の光信号入力用の光コネクタ２１とを接続する。
また、外被を剥がしてクロージャ筐体１内へ導入したドロップ光ファイバ８Ａ，８Ｂの引き落とし光ファイバ心線８Ａ−１，８Ｂ−１の端部に、単心用の光コネクタ２７を取り付ける。
そして、この引き落とし光ファイバ心線８Ａ−１に取り付けた光コネクタ２７と、スプリッタモジュールコード３の光信号出力用の光コネクタ２２の１つとを接続し、引き落とし光ファイバ心線８Ｂ−１に取り付けた光コネクタ２７と、スプリッタモジュールコード３の光信号出力用の光コネクタ２２の他の１つとを接続する。
その結果、主光ケーブル６Ａの単心の光ファイバ心線６ａ−１と、ドロップ光ファイバ８Ａ，８Ｂの引き落とし光ファイバ心線８Ａ−１，８Ｂ−１とが、スプリッタモジュールコード３を介して接続される。
【００５５】
従って、スプリッタモジュールコード３では、主光ケーブル６Ａの単心光ファイバ心線６ａ−１によってクロージャ筐体１内に導入された光信号を、光コネクタ１２，２１を介して入力すると、光ファイバ２５によってスプリッタ２３まで導き、スプリッタ２３によって８分岐する。更に、スプリッタモジュールコード３では、スプリッタ２３で８分岐した光信号を、８心のテープ光ファイバ２６の８本の単心光ファイバ２６ａによって、８個の光コネクタ２２のそれぞれへ導く。そして、スプリッタモジュールコード３では、単心の光ファイバ２６ａによって導いた光信号を、光コネクタ２２，２７を介して、ドロップ光ファイバ８Ａ，８Ｂの引き落とし光ファイバ心線８Ａ−１，８Ｂ−１へ出力する。引き落とし光ファイバ心線８Ａ−１，８Ｂ−１へ出力された光信号は、ドロップ光ファイバ８Ａ，８Ｂにより、クロージャ筐体１外へ導出されて、引き落とされる。
【００５６】
なお、図１の例では、複数体のスプリッタモジュールコード３が、クロージャ筐体１内に設置されている。
複数体のスプリッタモジュールコード３の光信号入力用の光コネクタ２１は、クロージャ筐体１の内面に、多段に積み上げられた状態になっている。
スプリッタモジュールコード３の光信号出力用の光コネクタ２２は、並列状態でスプリッタモジュール収納ケース５内に収納され、スプリッタモジュール収納ケース５に収納固定されている。また、図示例では、１つのスプリッタモジュール収納ケース５に対して、２体のスプリッタモジュールコード３の光コネクタ２２が収納固定されている。スプリッタモジュール収納ケース５は、クロージャ筐体１の内面に収納固定されている。
【００５７】
なお、光信号入力用の光コネクタ２１を、スプリッタモジュール収納ケース内に収納固定するようにしてもよく、或いは、スプリッタモジュールコード３全体を、スプリッタモジュール収納ケース内に収納固定するようにしてもよい。
また、スプリッタモジュール収納ケースに限らず、クロージャ筐体１の内面にプレートなどのスプリッタモジュール固定部品を固定し、このスプリッタモジュール固定部品に光コネクタ２１、光コネクタ２２、又は、スプリッタモジュールコード３全体を、収納固定するようにしてもよい。
また、クロージャ筐体１内には、複数体のスプリッタモジュール３を収納固定し又は固定するために、複数体のプリッタモジュール収納ケース又はスプリッタモジュール固定部品を設けてもよい。
また、必ずしもスプリッタモジュール収納ケースやスプリッタモジュール固定部品を用いる必要はなく、スプリッタモジュールコード３全体をクロージャ筐体１の内面に収納固定するようにしてもよい。
【００５８】
以上のように、本実施の形態例１のスプリッタモジュールコード３によれば、両端に光信号入力用の光コネクタ２１と光信号出力用の光コネクタ２２とを備えたコード状の構成となっていることを特徴としているため、このスプリッタモジュールコード３を、光ケーブル接続用クロージャにおいて例えば図示例のようにクロージャ筐体１内に導入した主光ケーブル６Ａの光ファイバ心線６ａ−１（光信号入力側の光ファイバ）とドロップ光ファイバ８Ａ，８Ｂの引き落とし光ファイバ心線８Ａ−１，８Ｂ−１（光信号出力側の光ファイバ）との接続に用いる場合、このスプリッタモジュールコード３を用いるだけで容易に主光ケーブル６Ａの光ファイバ心線６ａ−１と光信号出力側のドロップ光ファイバ８Ａ，８Ｂの引き落とし光ファイバ心線８Ａ−１，８Ｂ−１とを接続することができる。
このため、従来、接続のために要していた光ファイバ心線の余長の確保及びその収納スペースなどが不要となり、クロージャ筐体１内の物品数の削減や、クロージャ筐体１の小型化などを図ることができ、更には、クロージャ筐体１内での物品配置のレイアウトの自由度が広がることから、作業性の向上などを図ることもできる。また、クロージャ筐体１を従来と同様のサイズとした場合には、クロージャ筐体１内に多数のスプリッタモジュールコード３を収納することができるため、スプリッタ２３の高密度化を実現することができる。
【００５９】
また、本実施の形態例１のスプリッタモジュールコード３によれば、単心の光ファイバ２５及び８心のテープ光ファイバ２６（単心の光ファイバ２６ａ）は、その断面において空孔を有する光ファイバであることを特徴としており、光ファイバの曲げ半径を５ｍｍ程度まで小さくできるため、スプリッタモジュールコード３を更に小型化することができる。従って、このスプリッタモジュールコード３を、光ケーブル接続用クロージャにおいて例えば図示例のようにクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１との接続に用いる場合、クロージャ筐体１を更に小型化することなども可能となる。
【００６０】
また、本実施の形態例１の光ケーブル接続用クロージャによれば、スプリッタモジュールコード３を介して、例えば図示例のようにクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１とを接続した構成とすることにより、上記のようなスプリッタモジュールコード３の効果を有する優れた光ケーブル接続用クロージャを実現することができる。
【００６１】
また、本実施の形態例１の光ケーブル接続用クロージャによれば、スプリッタモジュールコード３が、スプリッタモジュール収納ケース５に収納固定又はスプリッタモジュール固定部品に固定されていることを特徴としているため、クロージャ筐体１内で分岐や引き落としをする光ファイバ６ａ−１，８Ａ−１，８Ｂ−１，１０ａが絡むことがなくなり、視認性良くスプリッタモジュールコード３及び光ファイバ６ａ−１，８Ａ−１，８Ｂ−１，１０ａを取り回すことができる。また、クロージャ筐体１内の空間を有効に使用することもできる。例えば、クロージャ筐体１内でスプリッタモジュール収納ケース５又はスプリッタモジュール固定部品を多段に積むことによって、クロージャ筐体１内に収納可能なスプリッタモジュールコード３の数を増やすことができる。
【００６２】
＜実施の形態例２＞
図３には本発明の実施の形態例２に係るコード状のスプリッタモジュールを示す。なお、説明の便宜上、図３のスプリッタカバーは透視図で表している。
【００６３】
図３に示すように、本実施の形態例２のスプリッタモジュールコード３１は、単心用の光コネクタ３２，３３と、スプリッタ３４と、スプリッタカバー３５と、単心の光ファイバ３６（第２の単心の光ファイバ）と、８心のテープ光ファイバ３７（多心の光ファイバ）とを備えた構成となっている。
【００６４】
光ファイバ３６，３７は何れも、その断面において空孔を有する光ファイバであり、例えばコア周囲のクラッド部に空孔を存在させることでクラッドの実効的な屈折率を下げて、コアとクラッド間の屈折率差を大きくすることにより、曲げによる放射損失の増加を抑えた空孔アシスト光ファイバである。従って、光ファイバ３６，３７は、その曲げ半径を５ｍｍ程度まで小さくすることができる。
【００６５】
スプリッタ３４は光信号を分岐するための石英系平面導波回路（ＰＬＣ）を有するものであり、スプリッタカバー３５内に収納されて保護されている。図示例ではスプリッタ３４が、光信号を８分岐するものである場合について例示している。
【００６６】
スプリッタ３４の一方の端面（光信号入力側）には、単心の光ファイバ３６の一端（光信号出力端）が、接着剤による接着固定などの接続手段により接続されている。単心の光ファイバ３６の他端（光信号入力端）には、光信号入力用で単心用の光コネクタ３２が取り付けられている。単心の光ファイバ３２もスプリッタ３４とともにスプリッタカバー３５内に収納さている。光コネクタ３２とスプリッタカバー３５を直列接続して、モジュールケースの代わりに簡易なスプリッタカバー３５を用いた構造としたことにより、スプリッタモジュール３１全体の体積を大幅に縮小した構造とすることができる。
【００６７】
そして、本実施の形態例２では光コネクタ３２が、ヒンジ３８を介してスプリッタカバー３５に結合されている。従って、図３に一点鎖線で示すように光コネクタ３２は、ヒンジ３８により、スプリッタカバー３５に対して回動可能になっている。このため、光コネクタ３２を任意の角度に回動させて、光コネクタ３２の向きを任意の方向に調整することができる。
【００６８】
また、図示は省略するが、光コネクタ３２は、スプリッタカバー３５に対して回動可能に結合する場合に限らず、光コネクタ３２とスプリッタカバー３５との結合構造を例えば嵌合構造とすることなどにより、スプリッタカバー３５に対して着脱可能に結合してもよい。この場合も、光コネクタ３２を、スプリッタカバー３５から取り外して、光コネクタ３２の向きを任意の方向に調整することができ、また、光コネクタ３２をスプリッタカバー３５から離れた位置に設置することもできる。
【００６９】
なお、光コネクタ３２とスプリッタ３４を繋ぐ光ファイバ３６は、上記のような光コネクタ３６の回動や取り外しに対応することができるようにするため（即ち回動や取り外しの妨げとならないようにするため）、例えば図示例のようにコイル状にすることにより、余長を持った状態でスプリッタカバー３５内に収納されている。従って、光コネクタ３２を回動又は取り外したときには、これに伴って光ファイバ３２の余長部がスプリッタカバー３５から引き出される。
【００７０】
本スプリッタモジュール３１のその他の構成については、上記実施の形態例１のスプリッタモジュール３と同様である。
即ち、図示例のスプリッタ３４は光信号を８分岐のものであるため、スプリッタ３４の他方の端面（光信号出力側）には、８心のテープ光ファイバ３７の一端（光信号入力端）が、接着剤による接着固定などの接続手段により接続されている。なお、図示は省略するが、８心のテープ光ファイバ３７の一端側（光信号入力側）は、コーティングが剥ぎ取られて８本の単心の光ファイバ３７ａに分離され（単心コード化され）、この単心の光ファイバ３７ａの一端がスプリッタ３４のＰＬＣに接続されている。そして、８心のテープ光ファイバ３７の他端側（光信号出力側）も、コーティングが剥ぎ取られて８本の単心の光ファイバ３７ａ（第１の単心の光ファイバ）に分離され（単心コード化され）、この８本の単心の光ファイバ３７ａの他端（光信号出力端）のそれぞれに対して、光信号出力用で単心用の光コネクタ３３が取り付けられている。
なお、必ずしも、このように多心の光ファイバ（テープ光ファイバ３７）を単心コード化してスプリッタ３４との接続に利用する場合に限定するものではなく、はじめから分離されている複数本（８分岐のスプリッタ３４に対しては８本）の単心の光ファイバをスプリッタ３４との接続に利用してもよい。
【００７１】
かくして、本実施の形態例２のスプリッタモジュール３１は、両端に光信号入力用の光コネクタ３２と光信号出力用の光コネクタ３３を備えたコード状の構成のものとなっている。
【００７２】
このスプリッタモジュールコード３１は、光コネクタ３２，３３とスプリッタ３４とスプリッタカバー３５と光ファイバ３６，３７とを一体的に備えた接続用部品として、予め工場で製作される。光ケーブル接続用クロージャを設置する作業現場では、スプリッタ３４などを特に意識することなく、スプリッタモジュールコード３１を１体の接続用部品として扱うことができる。
【００７３】
図示は省略するが、本実施の形態例２のスプリッタモジュールコード３１を光ケーブル接続用クロージャに適用する場合には、例えば図１の光ケーブル接続用クロージャにおいて、スプリッタモジュールコード３の代わりに本スプリッタモジュールコード３１を用いればよい。この場合には、主光ケーブル６Ａの単心の光ファイバ心線６ａ−１に取り付けた光コネクタ１２と、スプリッタモジュールコード３１の光信号出力用の光コネクタ３２とを接続する。また、ドロップ光ファイバ８Ａ，８Ｂの引き落とし光ファイバ心線８Ａ−１，８Ｂ−１に取り付けた光コネクタ２７と、スプリッタモジュールコード３１の光信号出力用の光コネクタ３３とを接続する。
【００７４】
かくして、主光ケーブル６Ａの単心の光ファイバ心線６ａ−１と、ドロップ光ファイバ８Ａ，８Ｂの引き落とし光ファイバ心線８Ａ−１，８Ｂ−１とが、スプリッタモジュールコード３１を介して接続される。従って、スプリッタモジュールコード３１では、主光ケーブル６Ａの単心光ファイバ心線６ａ−１によってクロージャ筐体１内に導入された光信号を、光コネクタ１２，３２を介して入力すると、光ファイバ３６によってスプリッタ３４まで導き、スプリッタ３４によって８分岐する。更に、スプリッタモジュールコード３１では、スプリッタ３４で８分岐した光信号を、８心のテープ光ファイバ３７の８本の単心光ファイバ３７ａによって、８個の光コネクタ３３のそれぞれへ導く。そして、スプリッタモジュールコード３１では、単心の光ファイバ３７ａによって導いた光信号を、光コネクタ３３，２７を介して、ドロップ光ファイバ８Ａ，８Ｂの引き落とし光ファイバ心線８Ａ−１，８Ｂ−１へ出力する。引き落とし光ファイバ心線８Ａ−１，８Ｂ−１へ出力された光信号は、ドロップ光ファイバ８Ａ，８Ｂにより、クロージャ筐体１外へ導出されて、引き落とされる。
【００７５】
なお、図示などは省略するが、クロージャ筐体１内におけるスプリッタモジュールコード３１の固定は、上記実施の形態例１のスプリッタモジュールコード３の場合と同様にクロージャ筐体への固定、スプリッタモジュール収納ケース内への収納固定又はプレートなどのスプリッタモジュール固定部品への固定などにより行うことができる。
【００７６】
以上のように、本実施の形態例２のスプリッタモジュールコード３１によれば、両端に光信号入力用の光コネクタ３２と光信号出力用の光コネクタ３３とを備えたコード状の構成となっていることを特徴としているため、このスプリッタモジュールコード３１を、例えば図１の光ケーブル接続用クロージャにおいてクロージャ筐体１内に導入した主光ケーブル６Ａの光ファイバ心線６ａ−１（光信号入力側の光ファイバ）とドロップ光ファイバ８Ａ，８Ｂの引き落とし光ファイバ心線８Ａ−１，８Ｂ−１（光信号出力側の光ファイバ）との接続に用いる場合、このスプリッタモジュールコード３１を用いるだけで容易に主光ケーブル６Ａの光ファイバ心線６ａ−１と光信号出力側のドロップ光ファイバ８Ａ，８Ｂの引き落とし光ファイバ心線８Ａ−１，８Ｂ−１とを接続することができる。
このため、従来、接続のために要していた光ファイバ心線の余長の確保及びその収納スペースなどが不要となり、クロージャ筐体１内の物品数の削減や、クロージャ筐体１の小型化などを図ることができ、更には、クロージャ筐体１内での物品配置のレイアウトの自由度が広がることから、作業性の向上などを図ることもできる。また、クロージャ筐体１を従来と同様のサイズとした場合には、クロージャ筐体１内に多数のスプリッタモジュール３１を収納することができるため、スプリッタ３４の高密度化を実現することができる。
【００７７】
また、本実施の形態例２のスプリッタモジュールコード３１によれば、光信号入力用の光コネクタ３２が、スプリッタカバー３５に回動可能又は着脱可能に結合されていることを特徴としているため、このスプリッタモジュールコード３１を、例えば図１の光ケーブル接続用クロージャにおいてクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１との接続に用いる場合、光信号入力用の光コネクタ３２をスプリッタカバー３５に対して回動させること又はスプリッタカバー３５から取り外すことにより、光信号入力用の光コネクタ３２の向き又は位置を任意に調整することができるため、クロージャ筐体１内での物品配置のレイアウトの自由度が更に広がって、更なる作業性の向上などを図ることができる。
【００７８】
また、本実施の形態例２のスプリッタモジュールコード３１によれば、単心の光ファイバ３６及び８心のテープ光ファイバ３７（単心の光ファイバ３７ａ）は、その断面において空孔を有する光ファイバであることを特徴としており、光ファイバの曲げ半径を５ｍｍ程度まで小さくできるため、スプリッタモジュールコード３１を更に小型化することができる。従って、このスプリッタモジュールコード３１を、例えば図１の光ケーブル接続用クロージャにおいてクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１との接続に用いる場合、クロージャ筐体１を更に小型化することなども可能となる。
【００７９】
また、本実施の形態例２のスプリッタモジュールコード３１を、例えば図１の光ケーブル接続用クロージャに用いる場合、スプリッタモジュールコード３１を介して、クロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１とを接続した構成とすることにより、上記のようなスプリッタモジュールコード３１の効果を有する優れた光ケーブル接続用クロージャを実現することができる。
【００８０】
また、本実施の形態例２のスプリッタモジュールコード３１を、例えば図１の光ケーブル接続用クロージャのクロージャ筐体１内に設けたスプリッタモジュール収納ケースに収納固定又はスプリッタモジュール固定部品に固定した場合、クロージャ筐体１内で分岐や引き落としをする光ファイバ６ａ−１，８Ａ−１，８Ｂ−１，１０ａが絡むことがなくなり、視認性良くスプリッタモジュールコード３１及び光ファイバ６ａ−１，８Ａ−１，８Ｂ−１，１０ａを取り回すことができる。また、クロージャ筐体１内の空間を有効に使用することもできる。例えば、クロージャ筐体１内でスプリッタモジュール収納ケース５又はスプリッタモジュール固定部品を多段に積むことによって、クロージャ筐体１内に収納可能なスプリッタモジュールコード３１の数を増やすことができる。
【００８１】
＜実施の形態例３＞
図４には本発明の実施の形態例３に係るコード状のスプリッタモジュールを示す。なお、説明の便宜上、図４のスプリッタカバーは透視図で表している。
【００８２】
図４に示すように、本実施の形態例３のスプリッタモジュールコード４１は、単心用の光コネクタ４２，４３と、スプリッタ４４と、スプリッタカバー４５と、単心の光ファイバ４６（第２の単心の光ファイバ）と、８心のテープ光ファイバ４７（多心の光ファイバ）とを備えた構成となっている。
【００８３】
光ファイバ４６，４７は何れも、その断面において空孔を有する光ファイバであり、例えばコア周囲のクラッド部に空孔を存在させることでクラッドの実効的な屈折率を下げて、コアとクラッド間の屈折率差を大きくすることにより、曲げによる放射損失の増加を抑えた空孔アシスト光ファイバである。従って、光ファイバ４６，４７は、その曲げ半径を５ｍｍ程度まで小さくすることができる。
【００８４】
スプリッタ４４は光信号を分岐するための石英系平面導波回路（ＰＬＣ）を有するものであり、スプリッタカバー４５内に収納されて保護されている。図示例ではスプリッタ４４が、光信号を８分岐するものである場合について例示している。
【００８５】
スプリッタ４４の一方の端面（光信号入力側）には、単心の光ファイバ４６の一端（光信号出力端）が、接着剤による接着固定などの接続手段により接続されていている。単心の光ファイバ４６の他端（光信号入力端）には、光信号入力用で単心用の光コネクタ４２が取り付けられている。単心の光ファイバ４６もスプリッタ４４とともにスプリッタカバー４５内に収納さている。光コネクタ４２とスプリッタカバー４５を並列接続して、モジュールケースの代わりに簡易なスプリッタカバー４５を用いた構造としたことにより、スプリッタモジュール４１全体の体積を大幅に縮小した構造とすることができる。
【００８６】
そして、本実施の形態例２では光コネクタ４２が、スプリッタカバー４５に対して並列に設けられ、且つ、ヒンジ４８を介してスプリッタカバー４５に結合されている。このため、図４に一点鎖線で示すように光コネクタ４２は、ヒンジ４８により、スプリッタカバー４５に対して回動可能になっている。このため、光コネクタ４２を任意の角度に回動させて、光コネクタ４２の向きを任意の方向に調整することができる。
【００８７】
また、図示は省略するが、光コネクタ４２は、スプリッタカバー４５に対して回動可能に結合する場合に限らず、光コネクタ４２とスプリッタカバー４５との結合構造を例えば嵌合構造とすることなどにより、スプリッタカバー４５に対して着脱可能に結合してもよい。この場合も、光コネクタ４２を、スプリッタカバー４５から取り外して、光コネクタ４２の向きを任意の方向に調整することができ、また、光コネクタ４２をスプリッタカバー４５から離れた位置に設置することもできる。
【００８８】
なお、光コネクタ４２とスプリッタ４４を繋ぐ光ファイバ４６は、上記のような光コネクタ４２の回動や取り外しに対応することができるようにするため（即ち回動や取り外しの妨げとならないようにするため）、余長を持った状態でスプリッタカバー４５内に収納されている。従って、光コネクタ４２を回動又は取り外したときには、これに伴って光ファイバ４６の余長部がスプリッタカバー４５から引き出される。
【００８９】
本スプリッタモジュール４１のその他の構成については、上記実施の形態例１のスプリッタモジュール３と同様である。
即ち、図示例のスプリッタ４４は光信号を８分岐のものであるため、スプリッタ４４の他方の端面（光信号出力側）には、８心のテープ光ファイバ４７の一端（光信号入力端）が、接着剤による接着固定などの接続手段により接続されている。なお、図示は省略するが、８心のテープ光ファイバ４７の一端側（光信号入力側）は、コーティングが剥ぎ取られて８本の単心の光ファイバ４７ａに分離され（単心コード化され）、この単心の光ファイバ４７ａの一端がスプリッタ４４のＰＬＣに接続されている。そして、８心のテープ光ファイバ４７の他端側（光信号出力側）も、コーティングが剥ぎ取られて８本の単心の光ファイバ４７ａ（第１の単心の光ファイバ）に分離され（単心コード化され）、この８本の単心の光ファイバ４７ａの他端（光信号出力端）のそれぞれに対して、光信号出力用で単心用の光コネクタ４３が取り付けられている。
なお、必ずしも、このように多心の光ファイバ（テープ光ファイバ４７）を単心コード化してスプリッタ４４との接続に利用する場合に限定するものではなく、はじめから分離されている複数本（８分岐のスプリッタ４４に対しては８本）の単心の光ファイバをスプリッタ４４との接続に利用してもよい。
【００９０】
かくして、本実施の形態例３のスプリッタモジュール４１は、両端に光信号入力用の光コネクタ４２と光信号出力用の光コネクタ４３とを備えたコード状の構成のものとなっている。
【００９１】
このスプリッタモジュールコード４１は、光コネクタ４２，４３とスプリッタ４４とスプリッタカバー４５と光ファイバ４６，４７とを一体的に備えた接続用部品として、予め工場で製作される。光ケーブル接続用クロージャを設置する作業現場では、スプリッタ４４などを特に意識することなく、スプリッタモジュールコード４１を１体の接続用部品として扱うことができる。
【００９２】
図示は省略するが、本実施の形態例３のスプリッタモジュールコード４１を光ケーブル接続用クロージャに適用する場合には、例えば図１の光ケーブル接続用クロージャにおいて、スプリッタモジュールコード３の代わりに本スプリッタモジュールコード４１を用いればよい。この場合には、主光ケーブル６Ａの単心の光ファイバ心線６ａ−１に取り付けた光コネクタ１２と、スプリッタモジュールコード４１の光信号入力用の光コネクタ４２とを接続する。また、ドロップ光ファイバ８Ａ，８Ｂの引き落とし光ファイバ心線８Ａ−１，８Ｂ−１に取り付けた光コネクタ２７と、スプリッタモジュールコード４１の光信号出力用の光コネクタ４３とを接続する。
【００９３】
かくして、主光ケーブル６Ａの単心の光ファイバ心線６ａ−１と、ドロップ光ファイバ８Ａ，８Ｂの引き落とし光ファイバ心線８Ａ−１，８Ｂ−１とが、スプリッタモジュールコード４１を介して接続される。従って、スプリッタモジュールコード４１では、主光ケーブル６Ａの単心光ファイバ心線６ａ−１によってクロージャ筐体１内に導入された光信号を、光コネクタ１２，４２を介して入力すると、光ファイバ４６によってスプリッタ４４まで導き、スプリッタ４４によって８分岐する。更に、スプリッタモジュールコード４１では、スプリッタ４４で８分岐した光信号を、８心のテープ光ファイバ４７の８本の単心光ファイバ４７ａによって、８個の光コネクタ４３のそれぞれへ導く。そして、スプリッタモジュールコード４１では、単心の光ファイバ４７ａによって導いた光信号を、光コネクタ４３，２７を介して、ドロップ光ファイバ８Ａ，８Ｂの引き落とし光ファイバ心線８Ａ−１，８Ｂ−１へ出力する。引き落とし光ファイバ心線８Ａ−１，８Ｂ−１へ出力された光信号は、ドロップ光ファイバ８Ａ，８Ｂにより、クロージャ筐体１外へ導出されて、引き落とされる。
【００９４】
なお、図示などは省略するが、クロージャ筐体１内におけるスプリッタモジュールコード４１の固定は、上記実施の形態例１のスプリッタモジュールコード３の場合と同様にクロージャ筐体への固定、スプリッタモジュール収納ケース内への収納固定又はプレートなどのスプリッタモジュール固定部品への固定などにより行うことができる。
【００９５】
以上のように、本実施の形態例３のスプリッタモジュールコード４１によれば、両端に光信号入力用の光コネクタ４２と光信号出力用の光コネクタ４３とを備えたコード状の構成となっていることを特徴としているため、このスプリッタモジュールコード４１を、例えば図１の光ケーブル接続用クロージャにおいてクロージャ筐体１内に導入した主光ケーブル６Ａの光ファイバ心線６ａ−１（光信号入力側の光ファイバ）とドロップ光ファイバ８Ａ，８Ｂの引き落とし光ファイバ心線８Ａ−１，８Ｂ−１（光信号出力側の光ファイバ）との接続に用いる場合、このスプリッタモジュールコード４１を用いるだけで容易に主光ケーブル６Ａの光ファイバ心線６ａ−１と光信号出力側のドロップ光ファイバ８Ａ，８Ｂの引き落とし光ファイバ心線８Ａ−１，８Ｂ−１とを接続することができる。
このため、従来、接続のために要していた光ファイバ心線の余長の確保及びその収納スペースなどが不要となり、クロージャ筐体１内の物品数の削減や、クロージャ筐体１の小型化などを図ることができ、更には、クロージャ筐体１内での物品配置のレイアウトの自由度が広がることから、作業性の向上などを図ることもできる。また、クロージャ筐体１を従来と同様のサイズとした場合には、クロージャ筐体１内に多数のスプリッタモジュール４１を収納することができるため、スプリッタ４４の高密度化を実現することができる。
【００９６】
また、本実施の形態例３のスプリッタモジュールコード４１によれば、光信号入力用の光コネクタ４２が、スプリッタカバー４５に回動可能又は着脱可能に結合されていることを特徴としているため、このスプリッタモジュールコード４１を、例えば図１の光ケーブル接続用クロージャにおいてクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１との接続に用いる場合、光信号入力用の光コネクタ４２をスプリッタカバー４５に対して回動させること又はスプリッタカバー４５から取り外すことにより、光信号入力用の光コネクタ４２の向き又は位置を任意に調整することができるため、クロージャ筐体１内での物品配置のレイアウトの自由度が更に広がって、更なる作業性の向上などを図ることができる。
【００９７】
また、本実施の形態例３のスプリッタモジュールコード４１によれば、単心の光ファイバ４６及び８心のテープ光ファイバ４７（単心の光ファイバ４７ａ）は、その断面において空孔を有する光ファイバであることを特徴としており、光ファイバの曲げ半径を５ｍｍ程度まで小さくできるため、スプリッタモジュールコード４１を更に小型化することができる。従って、このスプリッタモジュールコード４１を、例えば図１の光ケーブル接続用クロージャにおいてクロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１との接続に用いる場合、クロージャ筐体１を更に小型化することなども可能となる。
【００９８】
また、本実施の形態例３のスプリッタモジュールコード４１を、例えば図１の光ケーブル接続用クロージャに用いる場合、スプリッタモジュールコード４１を介して、クロージャ筐体１内に導入した主光ケーブル６Ａの光ファイバ心線６ａ−１とドロップ光ファイバ８Ａ，８Ｂの引き落とし光ファイバ心線８Ａ−１，８Ｂ−１とを接続した構成とすることにより、上記のようなスプリッタモジュールコード４１の効果を有する優れた光ケーブル接続用クロージャを実現することができる。
【００９９】
また、本実施の形態例３のスプリッタモジュールコード４１を、例えば図１の光ケーブル接続用クロージャのクロージャ筐体１内に設けたスプリッタモジュール収納ケースに収納固定又はスプリッタモジュール固定部品に固定した場合、クロージャ筐体１内で分岐や引き落としをする光ファイバ６ａ−１，８Ａ−１，８Ｂ−１，１０ａが絡むことがなくなり、視認性良くスプリッタモジュールコード４１及び光ファイバ６ａ−１，８Ａ−１，８Ｂ−１，１０ａを取り回すことができる。また、クロージャ筐体１内の空間を有効に使用することもできる。例えば、クロージャ筐体１内でスプリッタモジュール収納ケース５又はスプリッタモジュール固定部品を多段に積むことによって、クロージャ筐体１内に収納可能なスプリッタモジュールコード４１の数を増やすことができる。
【０１００】
＜実施の形態例４＞
図５には本発明の実施の形態例４の光ケーブル接続用クロージャを示す。また、図６（ａ）には前記光ケーブル接続用クロージャに装備されているケース状のスプリッタモジュールを正面側からみた構成を示し、図６（ｂ）には前記ケース状のスプリッタモジュールを裏面側からみた構成を示す。なお、説明の便宜上、図５のクロージャ筐体や図６（ｂ）のモジュールケースなどは透視図で表している。
【０１０１】
図５に示すように、本実施の形態例４の光ケーブル接続用クロージャは、クロージャ筐体５１と、このクロージャ筐体５１内に設置されている成端盤５２、センタートレイ５３、ケース状のスプリッタモジュール５４及び接続トレイ５５とを備えた構成となっている。
【０１０２】
センタートレイ５３はクロージャ筐体５１内の上部に配置されてクロージャ筐体５１に固定されており、接続トレイ５５はクロージャ筐体５１内の下部に配置されてクロージャ筐体５１に固定されている。成端盤５２はセンタートレイ５３の両側に配置されてクロージャ筐体５１に固定されている。そして、スプリッタモジュール５４は、クロージャ筐体５１内においてセンタートレイ５３と下部の接続トレイ５５との間の空間部に配置されている。
【０１０３】
主光ケーブル５６Ａと主光ケーブル５６Ｂは、その外被がクロージャ筐体５１の導入部５１ａと導出部５１ｂでそれぞれ把持されることにより、クロージャ筐体５１に固定されている。同様に、分岐光ケーブル５９及びドロップ光ファイバ５８Ａ，５８Ｂは、その外被がクロージャ筐体５１の導出部５１ｃ，５１ｄ，５１ｅにそれぞれ把持されることにより、クロージャ筐体５１に固定されている。また、図示例の主光ケーブル５６Ａは多心光ファイバケーブルであり、主にテープ心線の光ファイバ心線５６ａ，５６ｂで構成されている。これらの多心テープ光ファイバ心線５６ａ，５６ｂは、各光ファイバ心線５６ａ，５６ｂごとに分離してセンタートレイ５３内に収納されている。
【０１０４】
主光ケーブル５６Ａの多心テープ光ファイバ心線５６ａは、テープ心線のコーティングが剥ぎ取られて単心の光ファイバ心線５６ａ−１に分離されており、この単心の光ファイバ心線５６ａ−１の状態でクロージャ筐体５１内の取り回しが行なわれている。主光ケーブル５６Ａの多心テープ光ファイバ心線５６ｂは、分岐光ケーブル５９とドロップ光ファイバ５８Ａ，５８Ｂの何れにも接続されておらず、テープ心線のままの状態で主光ケーブル５６Ｂにより、クロージャ筐体５１外へ導出されている。
【０１０５】
一部の単心の光ファイバ心線５６ａ−１は、分岐光ケーブル５９の分岐光ファイバ心線５９ａと、光コネクタなどの接続部６０で接続されている。この接続された光ファイバ心線５６ａ−１と分岐光ファイバ心線５９ａの余長部は、輪にして束ねた状態とし、且つ、接続トレイ５５内の心線押さえ片（図示省略）で飛び出しを防止した状態として、接続トレイ５５内に収納されている。
【０１０６】
そして、詳細は後述するが、他の一部の光ファイバ心線５６ａ−１は、ケース状のスプリッタモジュール５４を介して、ドロップ光ファイバ５８Ａ，５８Ｂの引き落とし光ファイバ心線５８Ａ−１，５８Ｂ−１に接続されることにより、引き落とされている。
【０１０７】
図５及び図６に基づいて詳述すると、本実施の形態例４のスプリッタモジュール５４は、単心用の光コネクタ６１Ａ，６１Ｂ，６２Ａ，６２Ｂと、スプリッタ６３Ａ，６３Ａと、モジュールケース６４と、単心の光ファイバ６５Ａ，６５Ｂ（第２の単心の光ファイバ）と、８心のテープ光ファイバ６６Ａ，６６Ｂ（多心の光ファイバ）とを備えた構成となっている。
【０１０８】
光ファイバ６５Ａ，６５Ｂ，６６Ａ，６６Ｂは何れも、その断面において空孔を有する光ファイバであり、例えばコア周囲のクラッド部に空孔を存在させることでクラッドの実効的な屈折率を下げて、コアとクラッド間の屈折率差を大きくすることにより、曲げによる放射損失の増加を抑えた空孔アシスト光ファイバである。従って、光ファイバ６５Ａ，６５Ｂ，６６Ａ，６６Ｂは、その曲げ半径を５ｍｍ程度まで小さくすることができる。
【０１０９】
スプリッタ６３Ａ，６３Ｂは何れも、光信号を分岐するための石英系平面導波回路（ＰＬＣ）を有するものであり、モジュールケース６４内に収納されて保護されている。図示例ではスプリッタ６３Ａ，６３Ｂが何れも、光信号を８分岐するものである場合について例示している。
【０１１０】
スプリッタ６３Ａの一方の端面（光信号入力側）には、単心の光ファイバ６５Ａの一端（光信号出力端）が、接着剤による接着固定などの接続手段により接続されている。単心の光ファイバ６５Ａはモジュールケース６４外へ引き出されており、その他端（光信号入力端）に光信号入力用で単心用の光コネクタ６１Ａが取り付けられている。
同様に、スプリッタ６３Ｂの一方の端面（光信号入力側）には、単心の光ファイバ６５Ｂの一端（光信号出力端）が、接着剤による接着固定などの接続手段により接続されている。単心の光ファイバ６５Ｂはモジュールケース６４外へ引き出されており、その他端（光信号入力端）に光信号入力用で単心用の光コネクタ６１Ｂが取り付けられている。
【０１１１】
図示例のスプリッタ６３Ａは光信号を８分岐のものであるため、このスプリッタ６３Ａの他方の端面（光信号出力側）には、８心のテープ光ファイバ６６Ａの一端（光信号入力端）が、接着剤による接着固定などの接続手段により接続されている。なお、図示は省略するが、８心のテープ光ファイバ６６Ａの一端側（光信号入力側）は、コーティングが剥ぎ取られて８本の単心の光ファイバ６６Ａ−１に分離され（単心コード化され）、この単心の光ファイバ６６Ａ−１の一端がスプリッタ６３ＡのＰＬＣにそれぞれ接続されている。そして、８心のテープ光ファイバ６６Ａの他端側（光信号出力側）も、コーティングが剥ぎ取られて８本の単心の光ファイバ６６Ａ−１（第１の単心の光ファイバ）に分離され（単心コード化され）、この８本の単心の光ファイバ６６Ａ−１の他端（光信号出力端）のそれぞれに対して、光信号出力用で単心用の光コネクタ６２Ａが取り付けられている。
同様に、図示例のスプリッタ６３Ｂは光信号を８分岐のものであるため、このスプリッタ６３Ｂの他方の端面（光信号出力側）には、８心のテープ光ファイバ６６Ｂの一端（光信号入力端）が、接着剤による接着固定などの接続手段により接続されている。なお、図示は省略するが、８心のテープ光ファイバ６６Ｂの一端側（光信号入力側）は、コーティングが剥ぎ取られて８本の単心の光ファイバ６６Ｂ−１に分離され（単心コード化され）、この単心の光ファイバ６６Ｂ−１の一端がスプリッタ６３ＢのＰＬＣにそれぞれ接続されている。そして、８心のテープ光ファイバ６６Ｂの他端側（光信号出力側）も、コーティングが剥ぎ取られて８本の単心の光ファイバ６６Ｂ−１（第１の単心の光ファイバ）に分離され（単心コード化され）、この８本の単心の光ファイバ６６Ｂ−１の他端（光信号出力端）のそれぞれに対して、光信号出力側の単心用の光コネクタ６２Ｂが取り付けられている。
なお、必ずしも、このように多心の光ファイバ（テープ光ファイバ６６Ａ，６６Ｂ）を単心コード化してスプリッタ６３Ａ，６３Ｂとの接続に利用する場合に限定するものではなく、はじめから分離されている複数本（８分岐のスプリッタ６３Ａ，６３Ｂに対してはそれぞれ８本）の単心の光ファイバをスプリッタ６６Ａ，６６Ｂとの接続に利用してもよい。
【０１１２】
また、モジュールケース６４は湾曲して半円筒状に形成されており、湾曲方向（図６の矢印Ａ方向）の両側面６４ａ，６４ｂの向きが何れも、モジュールケース６４の正面６４ｃ側に向いている。なお、モジュールケース６４は、必ずしも湾曲に限定するものではなく、コ字状などに屈曲させて、この屈曲方向の両側面６４ａ，６４ｂの向きが、モジュールケース６４の正面６４ｃ側に向くようにしてもよい。
【０１１３】
そして、一方のテープ光ファイバ６６Ａの８本の単心光ファイバ６６Ａ−１のそれぞれに取り付けられた８個の光コネクタ６２Ａは、並列状態でモジュールケース６４の一方の側面６４ａに設けられ、接着剤などの結合手段により側面６４ａに結合されている。
同様に、他方のテープ光ファイバ６６Ｂの８本の単心光ファイバ６６Ｂ−１のそれぞれに取り付けられた８個の光コネクタ６２Ｂは、並列状態でモジュールケース６４の他方の側面６４ｂに設けられ、接着剤などの結合手段により側面６４ｂに結合されている。
従って、モジュールケース６４の側面６４ａ，６４ｂと同様に光コネクタ６２Ａ，６２Ｂの向きも、モジュールケース６４の正面６４ａ側に向いている。
【０１１４】
かくして、本実施の形態例４のスプリッタモジュール５４は、スプリッタ６３Ａ，６３Ｂを収納したモジュールケース６４の側面６４ａ，６４ｂに光信号出力用の光コネクタ６２Ａ，６２Ｂを備えたケース状の構成のものとなっている。
【０１１５】
このケース状のスプリッタモジュール５４は、光コネクタ６１Ａ，６１Ｂ，６２Ｂ，６２Ｂとスプリッタ６３Ａ，６３Ｂとモジュールケース６４と光ファイバ６５Ａ，６５Ｂ，６６Ａ，６６Ｂとを一体的に備えた接続用部品として、予め工場で製作される。光ケーブル接続用クロージャを設置する作業現場では、スプリッタ６３Ａ，６３Ｂなどを特に意識することなく、スプリッタモジュール５４を１体の接続用部品として扱うことができる。
【０１１６】
なお、図示は省略するが、光信号出力用の光コネクタ６２Ａ，６２Ｂは、ヒンジを介してモジュールケース６４に結合することなどにより、モジュールケース６４に対して回動可能に結合してもよく、或いは、光コネクタ６２Ａ，６２Ｂとモジュールケース６４との結合構造を例えば嵌合構造とすることなどにより、モジュールケース６４に対して着脱可能に結合してもよい。
また、図示例では２個のスプリッタ６３Ａ，６３Ｂをモジュールケース６４に収納しているが、必ずしもこれに限定するものではなく、１個のスプリッタ又は３個以上のスプリッタをモジュールケース内に収納するようにしてもよい。
【０１１７】
次に、図５に基づき、図６のケース状のスプリッタモジュール５４を用いて主光ケーブル５６Ａの単心の光ファイバ心線５６ａ−１と、単心のドロップ光ファイバ５８Ａ，５８Ｂの引き落とし光ファイバ心線５８Ａ−１，５８Ｂ−１とを接続する例を、その接続作業の手順に沿って説明する。
【０１１８】
図６に示すように、外被を剥がしてクロージャ筐体５１内へ導入した主光ケーブル５６Ａの多心テープ光ファイバ心線５６ａを一定の長さで切断し、この切断した多心テープ光ファイバ心線５６ａを、単心の光ファイバ心線５６ａ−１に分離する。
続いて、この多心テープ光ファイバ心線５６ａから分離した単心の光ファイバ心線５６ａ−１の端部に、単心用の光コネクタ７１を取り付ける。
そして、この単心の光ファイバ心線５６ａ−１に取り付けた光コネクタ７１を、成端盤５２に接続し、且つ、スプリッタモジュール５４の光信号入力用の光コネクタ６１Ａ，６１Ｂも、成端盤５２に接続する。即ち、成端盤５２において、光ファイバ心線５６ａ−１の光コネクタ７１と、スプリッタモジュール５４の光コネクタ６１Ａとを接続し、他の光ファイバ心線５６ａ−１の光コネクタ７１と、スプリッタモジュール５４の光コネクタ６１Ｂとを接続する。
また、外被を剥がしてクロージャ筐体５１内へ導入してドロップ光ファイバ５８Ａ，５８Ｂの引き落とし光ファイバ心線５８Ａ−１，５８Ｂ−１の端部に、単心用の光コネクタ７２を取り付ける。
そして、この引き落とし光ファイバ心線５８Ａ−１に取り付けた光コネクタ７２と、スプリッタモジュール５４の光信号出力用の光コネクタ６２Ｂの１つとを接続し、引き落とし光ファイバ心線５８Ｂ−１に取り付けた光コネクタ７２と、スプリッタモジュール５４の光信号出力用の光コネクタ６２Ｂの他の１つとを接続する（勿論、光信号出力用の光コネクタ６２Ａと接続する場合もある）。
その結果、主光ケーブル５６Ａの単心の光ファイバ心線５６ａ−１と、ドロップ光ファイバ５８Ａ，５８Ｂの引き落とし光ファイバ心線８Ａ−１，５８Ｂ−１とが、スプリッタモジュールコード５４を介して接続される。
【０１１９】
従って、スプリッタモジュール５４では、主光ケーブル５６Ａの単心光ファイバ心線５６ａ−１によってクロージャ筐体１内に導入された光信号を、光コネクタ７１，６１Ａ，６１Ｂを介して入力すると、光ファイバ６５Ａ，６５Ｂによってスプリッタ６３Ａ，６３Ｂまで導き、スプリッタ６３Ａ，６３Ｂによってそれぞれ８分岐する。更に、スプリッタモジュールコード５４では、スプリッタ６３Ａ，６３Ｂで８分岐した光信号を、８心のテープ光ファイバ６６Ａ，６６Ｂの８本の単心光ファイバ６６Ａ−１，６６Ｂ−１によって、８個の光コネクタ６２Ａ，６２Ｂのそれぞれへ導く。そして、スプリッタモジュールコード５４では、単心の光ファイバ６２Ａ，６２Ｂによって導いた光信号を、光コネクタ６２Ａ，６２Ｂ，７２を介して、ドロップ光ファイバ５８Ａ，５８Ｂの引き落とし光ファイバ心線５８Ａ−１，５８Ｂ−１へ出力する。引き落とし光ファイバ心線５８Ａ−１，５８Ｂ−１へ出力された光信号は、ドロップ光ファイバ５８Ａ，５８Ｂにより、クロージャ筐体５１外へ導出されて、引き落とされる。
【０１２０】
図５の例では、２体のスプリッタモジュール５４がクロージャ筐体５１内に設置されており、これらのスプリッタモジュール５４は並列に配置されて、モジュールケース６４の裏面６４ｄがクロージャ筐体５１の内面に接着剤で接着固定されている。
なお、これに限らず、上記実施の形態例１の場合と同様にクロージャ筐体５１内に接着固定などによって１体又は複数体のスプリッタモジュール収納ケース又はプレートなどのスプリッタモジュール固定部品を設け、１体又は複数体のスプリッタモジュール５４を、前記スプリッタモジュール収納ケース内に収納固定又は前記スプリッタモジュール固定部品に固定してもよい。
【０１２１】
以上のように、本実施の形態例４のスプリッタモジュール５４によれば、スプリッタ６３Ａ，６３Ｂを収納したモジュールケース６４の側面６４ａ，６４ｂに光信号出力用の光コネクタ６２Ａ，６２Ｂを備えたケース状の構成となっていることを特徴としているため、このケース状のスプリッタモジュール５４を、光ケーブル接続用クロージャにおいて例えば図示例のようにクロージャ筐体５１内に導入した主光ケーブル５６Ａの光ファイバ心線５６ａ−１（光信号入力側の光ファイバ）とドロップ光ファイバ５８Ａ，５８Ｂの引き落とし光ファイバ心線５８Ａ−１，５８Ｂ−１（光信号出力側の光ファイバ）との接続に用いる場合、このケース状のスプリッタモジュール５４を用いるだけで容易に主光ケーブル５６Ａの光ファイバ心線５６ａ−１とドロップ光ファイバ５８Ａ，５８Ｂの引き落とし光ファイバ心線５８Ａ−１，５８Ｂ−１とを接続することができる。
このため、従来、接続のために要していた光ファイバ心線の余長の確保及びその収納スペースなどが不要となり、クロージャ筐体５１内の物品数の削減や、クロージャ筐体５１の小型化などを図ることができ、更には、クロージャ筐体５１内での物品配置のレイアウトの自由度が広がることから、作業性の向上などを図ることもできる。また、クロージャ筐体５１を従来と同様のサイズとした場合には、クロージャ筐体５１内に多数のスプリッタモジュール５４を収納することができるため、スプリッタ６３Ａ，６３Ｂの高密度化を実現することができる。
【０１２２】
また、本実施の形態例４のスプリッタモジュール５４によれば、モジュールケース６４は湾曲又は屈曲し、この湾曲方向又は屈曲方向の側面６４ａ，６４ｂが、モジュールケース６４の正面６４ｃ側を向いており、光信号出力用の光コネクタ６２Ａ，６２Ｂは、湾曲方向又は屈曲方向の側面６４ａ，６４ｂに設けられていることを特徴としているため、光信号出力用の光コネクタ６２Ａ，６２Ｂの着脱方向も全てモジュールケース６４の正面６４ｃ側を向いている。従って、このコード状のスプリッタモジュール５４を、図示例のように光ケーブル接続用クロージャにおいてクロージャ筐体５１内に導入した主光ケーブル５６Ａの光ファイバ心線５６ａ−１とドロップ光ファイバ５８Ａ，５８Ｂの引き落とし光ファイバ心線５８Ａ−１，５８Ｂ−１との接続に用いる場合、作業者にとって視認性がよくなるため、光コネクタの接続作業や光ファイバの取り回し作業が非常に容易になり、作業効率が向上する。
【０１２３】
また、本実施の形態例４のスプリッタモジュール５４の光信号入力用の光コネクタ６２Ａ，６２Ｂを、モジュールケース６４に回動可能又は着脱可能に結合した場合、光信号入力用の光コネクタ６２Ａ，６２Ｂをモジュールケース６４に対して回動させること又はモジュールケース６４から取り外すことにより、光信号入力用の光コネクタ６２Ａ，６２Ｂの向き又は位置を任意に調整することができるため、クロージャ筐体５１内での物品配置のレイアウトの自由度が更に広がって、更なる作業性の向上などを図ることができる。
【０１２４】
また、本実施の形態例４のスプリッタモジュール５４によれば、単心の光ファイバ６５Ａ，６５Ｂ及び８心のテープ光ファイバ６６Ａ，６６Ｂ（単心の光ファイバ６６Ａ−１，６６Ｂ−１）は、その断面において空孔を有する光ファイバであることを特徴としており、光ファイバの曲げ半径を５ｍｍ程度まで小さくできるため、ケース状のスプリッタモジュール５４を更に小型化することができる。従って、このケース状のスプリッタモジュール５４を、光ケーブル接続用クロージャにおいて例えば図示例のようにクロージャ筐体５１内に導入した主光ケーブル５６Ａの光ファイバ心線５６ａ−１とドロップ光ファイバ５８Ａ，５８Ｂの引き落とし光ファイバ心線５８Ａ−１，５８Ｂ−１との接続に用いる場合、クロージャ筐体５１を更に小型化することなども可能となる。
【０１２５】
また、本実施の形態例４の光ケーブル接続用クロージャによれば、スプリッタモジュールコード５４を介して、例えば図示例のようにクロージャ筐体５１内に導入した主光ケーブル６６Ａの光ファイバ心線５６ａ−１とドロップ光ファイバ５８Ａ，５８Ｂの引き落とし光ファイバ心線５８Ａ−１，５８Ｂ−１とを接続した構成とすることにより、上記のようなスプリッタモジュール５４の効果を有する優れた光ケーブル接続用クロージャを実現することができる。
【０１２６】
また、本実施の形態例４の光ケーブル接続用クロージャによれば、スプリッタモジュール５４を、クロージャ筐体５１内に設けたスプリッタモジュール収納ケースに収納固定又はスプリッタモジュール固定部品に固定した場合、クロージャ筐体５１内で分岐や引き落としをする光ファイバ５６ａ−１，５８Ａ−１，５８Ｂ−１，５９ａが絡むことがなくなり、視認性良くスプリッタモジュールコード５４及び光ファイバ５６ａ−１，５８Ａ−１，５８Ｂ−１，５９ａを取り回すことができる。また、クロージャ筐体５１内の空間を有効に使用することもできる。例えば、クロージャ筐体５１内でスプリッタモジュール収納ケース又はスプリッタモジュール固定部品を多段に積むことによって、クロージャ筐体５１内に収納可能なスプリッタモジュール５４の数を増やすことができる。
【産業上の利用可能性】
【０１２７】
本発明はスプリッタモジュール及びこれを備えた光ケーブル接続用クロージャに関するものであり、作業効率の向上やスプリッタの高密度化を実現する場合に適用して有用なものである。
【符号の説明】
【０１２８】
１  クロージャ筐体
１ａ  導入部
１ｂ，１ｃ，１ｄ，１ｅ  導出部
２  センタートレイ
３  スプリッタモジュールコード（コード状のスプリッタモジュール）
４  接続トレイ
５  スプリッタモジュール収納ケース
６Ａ，６Ｂ  主光ケーブル
６ａ，６ｂ  多心テープ光ファイバ心線
６ａ−１  単心の光ファイバ心線
８Ａ，８Ｂ  ドロップ光ファイバ
８Ａ−１，８Ｂ−１  引き落とし光ファイバ心線
１０  分岐光ケーブル
１０ａ  分岐光ファイバ心線
１１  接続部
１２  単心用の光コネクタ
２１，２２  単心用の光コネクタ
２３  スプリッタ
２４  スプリッタカバー
２５  単心の光ファイバ
２６  ８心のテープ光ファイバ
２６ａ  単心の光ファイバ
２７  単心用の光コネクタ
３１  スプリッタモジュールコード（コード状のスプリッタモジュール）
３２，３３  単心用の光コネクタ
３４  スプリッタ
３５  スプリッタカバー
３６  単心の光ファイバ
３７  ８心のテープ光ファイバ
３７ａ  単心の光ファイバ
３８  ヒンジ
４１  スプリッタモジュールコード（コード状のスプリッタモジュール）
４２，４３  単心用の光コネクタ
４４  スプリッタ
４５  スプリッタカバー
４６  単心の光ファイバ
４７  ８心のテープ光ファイバ
４７ａ  単心の光ファイバ
４８  ヒンジ
５１  クロージャ筐体
５１ａ  導入部
５１ｂ，５１ｃ，５１ｄ，５１ｅ  導出部
５２  成端盤
５３  センタートレイ
５４  ケース状のスプリッタモジュール
５５  接続トレイ
５６Ａ，５６Ｂ  主光ケーブル
５６ａ，５６ｂ  多心テープ光ファイバ心線
５６ａ−１  単心の光ファイバ心線
５８Ａ，５８Ｂ  ドロップ光ファイバ
５８Ａ−１，５８Ｂ−１  引き落とし光ファイバ心線
５９  分岐光ケーブル
５９ａ  分岐光ファイバ心線
６０  接続部
６１Ａ，６１Ｂ，６２Ａ，６２Ｂ  単心用の光コネクタ
６３Ａ，６３Ｂ  スプリッタ
６４  モジュールケース
６４ａ，６４ｂ  湾曲方向の側面
６４ｃ  正面
６４ｄ  裏面
６５Ａ，６５Ｂ  単心の光ファイバ
６６Ａ，６６Ｂ  ８心のテープ光ファイバ
６６Ａ−１，６６Ｂ−１  単心の光ファイバ
７１，７２  単心用の光コネクタ
【図１】
2010217275.tif 000003
【図２】
2010217275.tif 000004
【図３】
2010217275.tif 000005
【図４】
2010217275.tif 000006
【図５】
2010217275.tif 000007
【図６】
2010217275.tif 000008
【図７】
2010217275.tif 000009
【図８】
2010217275.tif 000010